(57)【特許請求の範囲】
【請求項１】
赤外線反射性基材の上に、赤外領域に吸収ピークがある赤外線吸収性インキからなる検証用画像と、赤外領域に励起ピークがある励起光の照射により励起され、その励起光の励起ピーク波長よりも長波長側の赤外線を発光する蛍光インキからなる検証用画像とが設けられており、さらにはこれらの検証用画像を隠蔽するように隠蔽用画像が設けられていると共に、赤外線吸収性インキの吸収ピーク波長と蛍光インキの励起ピーク波長とが同じであることを特徴とする偽造防止印刷物。
【請求項２】
請求項１記載の偽造防止印刷物に対し、赤外線吸収性インキの吸収ピーク波長でかつ蛍光インキの励起ピーク波長でもある波長の赤外線を照射すると共に、赤外線吸収性インキからなる検証用画像の反射画像情報は前記吸収ピーク波長の赤外線を透過するバンドパスフィルターを介して、また蛍光インキからなる検証用画像の反射画像情報は蛍光インキの発光ピーク波長と同じ波長の赤外線を透過するバンドパスフィルターを介してそれぞれ赤外線情報読み取り装置により読み取り、これらの読み取り情報を基に各検証用画像の存在とそれらの内容を検証できるようにしたことを特徴とする偽造防止印刷物の判別方法。
【発明の詳細な説明】
【技術分野】
【０００１】
本発明は、赤外線吸収性インキおよび赤外線発光蛍光インキにより形成されている各検証用画像が目視不可能な状態で隠蔽されている偽造防止印刷物と、このような印刷物中に隠蔽されている各検証用画像に対応する反射画像情報を赤外線カメラ等の赤外線情報読み取り装置により読み取り、的確に検証できるようにした偽像防止印刷物の判別方法に関する。
【背景技術】
【０００２】
従来より株券、債券、小切手、商品券、宝くじ、定期券等の証券類には機械読み取りが可能なバーコードやＯＣＲ文字等のコードマークが設けられていることが多い。これらの機械読み取りが可能な情報は、例えば近赤外領域の赤外線を反射する基材面に、近赤外領域の赤外線を吸収するインキを用いて形成されている（例えば、特許文献１参照。）。
【０００３】
また、白色インキの赤外線反射性および黒色インキの赤外線吸収性を利用し、両インキにより機械読み取りが可能な情報をバーコードパターン状のコードマークとして上記証券類に印刷する場合もある。このようなコードマークを有する証券類は、そのコードマークの部分に赤外線を照射しつつ、その部分で反射する赤外線の反射強度を測定することによりコードマークに係る情報を読み取っている。このような場合、一般的には、記録されている情報が不正に読み取られないように、可視光を遮断し、赤外線を透過する隠蔽層で情報を覆うように設け、可視光下においては情報が肉眼で容易に読み取られないようにしている。
【０００４】
しかし、赤外線吸収性インキ中の赤外線吸収性物質は可視領域においても光吸収性を有しているため、その上に隠蔽層を形成してもその隠蔽力が不十分であると、隠蔽されていた情報パターンは赤外線情報読み取り装置により機械読み取りされるだけでなく、肉眼でもその存在が判読され易く、依然として複写等を利用した偽造や変造等を有効に防止する手段としては不十分であった。
【０００５】
肉眼で所定の隠蔽情報が判読されないようにするには、従来から、可視領域における光吸収が少なく、しかも可視領域以外の領域において所定の光学吸収特性を示す材料が情報記録材料として用いられてきた。例えば、熱線吸収ガラスや赤外線吸収ガラスを粉砕し、これを顔料化してなる赤外線吸収性材料をインキ中に含有させ、そのインキによりコードマークを形成する方法がある。この赤外線吸収性材料を含むインキは可視領域での光吸収が少ないため、それにより形成される情報は目視での確認が困難となることから、偽造・変造・改ざん等に有効な手段として考えられてきた。
【０００６】
しかしながら、上記インキで情報が形成してあり、その情報部分で赤外線を吸収するようにした印刷物は、広い赤外領域にある種々の赤外線を利用して容易に検知できるといった利点があるが、その利点が逆に作用し、それが判読され易いといった欠点も有していた。すなわち、赤外線カメラ等の赤外線情報読み取り装置で容易に読み取ることができてしまい、コードマーク等の隠蔽情報が確認されてしまう。そのため、赤外線カメラで読み取られた情報を基に偽造が行われたり、その読み取り結果に基づいて光吸収性のある部分をつなぎ合わせたり、貼り合わせたりすることによって、改ざんが行われてしまうことがあり、問題となっている。
【０００７】
互いに分光吸収特性が異なる２種類の赤外線吸収性インキを用いてコードマーク等を印刷することで上記問題を解決することができるが、この場合は２種類の光源もしくはフィ
ルターを用いて赤外線吸収性インキで印刷された画像を一つの白黒画面として捉え、その中のそれぞれの画像を読み取ることで真偽を判定することになる。同様に分光吸収特性の異なる２種類以上の赤外線吸収性インキで画像を設けることで、さらに偽造防止効果を向上させることもできるが、この場合も一つの白黒画面中に捉えられた画像のそれぞれを読み取って真偽判定を行わなければならず、真偽の判定が非常に難しくなってしまう。
【特許文献１】特開２０００−３０９７３６号公報
【発明の開示】
【発明が解決しようとする課題】
【０００８】
本発明は、上記のような問題点に着目してなされたものであり、赤外領域の吸収ピーク波長と赤外発光時の励起ピーク波長が同じである、赤外線吸収性インキと赤外線発光蛍光インキのそれぞれにより検証用画像が設けられていて、これらの画像が目視では認識できないようになっている偽造防止印刷物と、同じ赤外線照射用光源と同じ赤外線情報読み取り装置を使用し、検証用のフィルターのみを変えて前記したような印刷物の各検証用画像の存在とその内容を的確に検証できるようにした、偽造防止印刷物の判別方法を提供するものである。
【課題を解決するための手段】
【０００９】
上記課題を達成するためになされ、請求項１に記載の発明は、赤外線反射性基材の上に、赤外領域に吸収ピークがある赤外線吸収性インキからなる検証用画像と、赤外領域に励起ピークがある励起光の照射により励起され、その励起光の励起ピーク波長よりも長波長側の赤外線を発光する蛍光インキからなる検証用画像とが設けられており、さらにこれらの検証用画像を隠蔽するように隠蔽用画像が設けられていると共に、赤外線吸収性インキの吸収ピーク波長と蛍光インキの励起ピーク波長とが同じであることを特徴とする偽造防止印刷物である。
【００１０】
また、請求項２記載の発明は、請求項１記載の偽造防止印刷物に対し、赤外線吸収性インキの吸収ピーク波長でかつ蛍光インキの励起ピーク波長でもある波長の赤外線を照射すると共に、赤外線吸収性インキからなる検証用画像の反射画像情報は前記吸収ピーク波長の赤外線を透過するバンドパスフィルターを介して、また蛍光インキからなる検証用画像の反射画像情報は蛍光インキの発光ピーク波長の赤外線を透過するバンドパスフィルターを介してそれぞれ赤外線情報読み取り装置により読み取り、これらの読み取り情報を基に各検証用画像の存在とそれらの内容を検証できるようにしたことを特徴とする偽造防止印刷物の判別方法である。
【発明の効果】
【００１１】
本発明の偽造防止印刷物は、赤外線吸収性インキおよび赤外線発光蛍光インキを用いて文字、バーコード等の検証用画像が設けられ、さらにそれらを覆うように隠蔽用画像が設けられているので、上記各インキで印刷したそれぞれの検証用画像を目視で見ることができない。そして、このような偽造防止印刷物は、本発明の判別方法によりその中に隠蔽されている各検証用画像の存在とその内容が同一の光源および同一の赤外線情報読み取り装置を用い、検証用のフィルターのみを変えるだけで容易かつ的確に検証できるようになり、真偽の判定に有効に利用できる。
【発明を実施するための最良の形態】
【００１２】
以下、図面を用いて本発明の実施の形態を詳細に説明する。図１は本発明の偽造防止印刷物の平面状態を示す説明図で、図２は図１に示す偽造防止印刷物のＸ−Ｘ線における概略の断面構成を示す説明図である。
【００１３】
本発明の偽造防止印刷物１は、その最表面の部分に、隠蔽用の隠蔽用画像１２と文字画像とが目視可能な状態で配置されている。そして図２に示すように、赤外線反射性基材１１の上には、赤外領域に吸収ピークがある赤外線吸収性インキからなる検証用画像１３と、赤外領域に励起ピークがある励起光の照射により励起され、その励起光の励起ピーク波長よりも長波長側の赤外線を発光する蛍光インキからなる検証用画像１４とが設けられており、さらにこれらの検証用画像を隠蔽するように前記した隠蔽用画像１２が設けられている。
【００１４】
上述したように、検証用画像１３は、赤外領域に吸収ピークがある赤外線吸収性インキにより印刷されてなるものであり、検証用画像１４は、赤外領域に励起ピークがある励起光の照射により励起され、その励起光の波長よりも長波長側の赤外線を発光する蛍光インキにより印刷されてなるものである。そしてこれらの検証用画像１３、１４は、可視光は遮断し、赤外線は透過する印刷インキからなる隠蔽用画像１２により覆われている。従って、このような構成になる偽造防止印刷物１は、最表面の隠蔽用画像１２や文字画像のみが目視できるようになっている。
【００１５】
図３および図４は、このような構成の偽造防止印刷物１を本発明の判別方法により判別する際に行われる、各検証用画像に対応する反射画像情報の抽出の様子の一例をそれぞれ示している。
【００１６】
反射画像情報の抽出に当たっては、まず、偽造防止印刷物１に赤外線吸収性インキの吸収ピーク波長と同じ波長の赤外線を発光する光源３１から赤外線を照射し、その反射光を前記赤外線吸収インキの吸収ピーク波長を透過するバンドパスフィルター２１を介して赤外線カメラや赤外線センサー等の赤外線情報読み取り装置３２で読み取り、反射画像情報を抽出する。図３は、このようにして抽出した反射画像情報に基づく映像２２をモニター３３上に映し出している時の状態を示している。赤外線情報読み取り装置３２での読み取り情報を基に検証用画像の存在とそれらの内容を検証するツールとしては、前記のようなモニターだけではなく、バーコードを読み取るためのデコーダーを使用してもよい。
【００１７】
上記のような反射画像情報の抽出と共に、本発明の偽造防止印刷物の判別方法においては、もう一方の検証用画像の反射画像情報の抽出も行う。すなわち、偽造防止印刷物１に前記した蛍光インキを励起発光させる励起光の励起ピーク波長と同じ波長の赤外線を発光する光源３１から赤外線を照射し、その反射光を蛍光インキの発光ピーク波長と同じ波長の赤外線を透過するバンドパスフィルター２３を介し赤外線カメラや赤外線センサー等の赤外線情報読み取り装置３２で読み取り、反射画像情報を抽出す（図４参照）。このような反射画像情報の抽出においても、赤外線情報読み取り装置３２での読み取り情報を基に検証用画像の存在とそれらの内容を検証するためのツールとしては、前記のようなモニターだけではなく、バーコードを読み取るためのデコーダーを使用してもよい。
【００１８】
図５は、偽造防止印刷物１を図３に示すような方法で判別しているときにモニター画面上に映し出された映像を拡大して示したもので、偽造防止印刷物１の赤外反射性基材１１の部分は白っぽ見え、赤外線吸収性インキで印刷された検証用画像１３の部分は黒っぽく見えている。一方、図６は、偽造防止印刷物１を図４に示すような方法で判別しているときにモニター画面上に映し出された映像を拡大して示したもので、赤外反射性基材１１は黒っぽく見え、蛍光インキで印刷された検証用画像１４の部分が白っぽく見えている。
【００１９】
要するに、判別の対象となった偽造防止印刷物は同じものであるが、赤外線吸収性インキからなる検証用画像１３の判別に際しては、図５にも示すように、赤外線吸収性インキで印刷した検証用画像１３の部分が赤外反射性基材１１の部分よりも多くの光を吸収するために黒く見えるので、赤外反射性基材１１の部分が相対的に白っぽく見えるのである。
その逆に、蛍光インキで印刷した検証用画像１４の判別に際しては、図６にも示すように、蛍光インキで印刷した検証用画像１４の部分が発光して白っぽく見えるため、相対的に赤外反射性基材１１の部分が黒っぽく見えるのである。
【００２０】
図７および図８は、赤外線反射性基材１１の上に形成された検証用画像１３を構成する赤外線吸収性インキと、もう一方の検証用画像１４を構成する蛍光インキからなるインキ薄膜の分光波形のグラフおよび蛍光インキの励起光と励起光の照射により発光した発光光の分光特性を示したグラフである。
【００２１】
これらのグラフにも示すように、本発明の偽造防止印刷物においては、赤外線吸収性インキの吸収ピーク波長と蛍光インキの励起光の励起ピーク波長とを同じに設定している。従ってその判別に当たっては、同一の赤外線照射用の光源および赤外線情報読み取り装置とを用い、所定の赤外光を透過するバンドパスフィルターを変えるだけで、隠蔽用画像に隠蔽されていた各検証用画像の存在と内容が的確に検証できるようになり、安価でよりセキュリティ性の高い偽造防止印刷物の判定方法を提供できる。
【００２２】
以下、本発明を具体的な実施例を挙げて詳細に説明する。
【実施例１】
【００２３】
赤外反射性基材として白色系のコート紙を用いた。このコート紙上にオフセット印刷法により下記組成の赤外線吸収性インキ（ＵＶ効果型オフセットインキ）を用い、バーコードを印刷した。また、下記組成の蛍光インキを用い、同様にバーコードを印刷した。そしてこれらの各バーコードの上層に下記プロセスインキを用いて絵柄を印刷し、偽造防止印刷物を作製した。
【００２４】
＜赤外線吸収性インキの組成＞
赤外線吸収剤  ＹＫＲ−４０１０（山本化成社製）                        ５部
ＦＤＳメジウムＴＰロ          （東洋インキ製造社製）                ９５部
【００２５】
＜蛍光インキの組成＞
蛍光顔料    ＩＲＳ−Ｆ        （根本特殊化学社製）                  １０部
ＦＤＳメジウムＴＰロ          （東洋インキ製造社製）                ９０部
【００２６】
＜プロセスインキ＞
ＦＤ  ＯＬ  黄  ＴＣ  ロ  （東洋インキ製造社製）
ＦＤ  ＯＬ  紅  ＴＣ  ロ  （東洋インキ製造社製）
ＦＤ  ＯＬ  藍  ＴＣ  ロ  （東洋インキ製造社製）
【００２７】
上記偽造防止印刷物に８００ｎｍ付近にシャープな発光部分を持つＬＥＤを用いて赤外線を照射し、その反射光を、はじめに８００ｎｍ近辺の赤外線を透過するバンドパスフィルターを介して赤外線カメラで撮影したところ、赤外線吸収性インキからなるバーコード（検証用画像）の部分は黒く、その他の部分は白くモニター上に映し出され、目視不可能であったバーコードに係る反射画像情報が読み取れた。次に９５０ｎｍ近辺の赤外線を透過するバンドパスフィルターを介して前記した赤外線カメラで同じように撮影したところ、蛍光インキからなるバーコード（検証用画像）の部分が白く、その他の部分は黒くモニター上に映し出され、目視不可能であったもう一方のバーコードに係る反射画像情報が読み取れた。本発明の判別方法によれば、このように１つの光源と１つの赤外線情報読み取り装置を使用し、２種類のフィルターを変えるだけで、検証用画像の検証が行われ、簡単に真偽の判定をすることができた。
【図面の簡単な説明】
【００２８】
【図１】本発明の偽造防止印刷物の平面状態を示す説明図である。
【図２】図１に示す偽造防止印刷物のＸ−Ｘ線における概略の断面構成を示す説明図である。
【図３】赤外線吸収性インキからなる検証用画像に係る反射画像情報を抽出している時の状態を示す説明図である。
【図４】蛍光インキからなる検証用画像に係る反射画像情報を抽出している時の状態を示す説明図である。
【図５】図３に示す反射画像情報の抽出の際にモニター画面上に映し出された映像を示す説明図である。
【図６】図４に示す反射画像情報の抽出の際にモニター画面上に映し出された映像を示す説明図である。
【図７】赤外反射性基材上に設けた赤外線吸収性インキからなる印刷薄膜の反射率と波長の関係を示すグラフである。
【図８】蛍光インキに照射する励起発光用の光とその光の照射により発光する発光光の任意強度の関係を示すグラフである。
【符号の説明】
【００２９】
１・・偽造防止印刷物
１１・・赤外反射性基材
１２・・隠蔽用画像
１３、１４・・検証用画像
２１、２３・・バンドパスフィルター
２２・・反射画像情報に基づく映像
３１・・光源
３２・・赤外線情報読み取り装置
３３・・モニター
４１・・赤外線吸収性インキの吸収ピーク
５１・・励起光の励起ピーク
５２・・蛍光インキの発光ピーク
【図７】
0004706459.tif 000002
【図８】
0004706459.tif 000003
【図１】
0004706459.tif 000004
【図２】
0004706459.tif 000005
【図３】
0004706459.tif 000006
【図４】
0004706459.tif 000007
【図５】
0004706459.tif 000008
【図６】
0004706459.tif 000009